【手続補正書】
【提出日】令和2年10月16日(2020.10.16)
【手続補正１】
【補正対象書類名】明細書
【補正対象項目名】００３３
【補正方法】変更
【補正の内容】
【００３３】
障害補償への別の種類の手法は、制限ビーム形成を含む。ここに記載のように、集束アンテナ素子を用いて、フィーダビームを生成し、多数の給電器／ビーム（ＭＦＢＰ）のアーキテクチャに従って、集束アンテナ素子の幾つかの実施形態を実施する。ＭＦＢＰアーキテクチャにおいて、各アンテナ給電器を、多数の給電信号の重み付け及び結合セットに対応付けることができる。各重み付け及び結合セットを形成するために、適用係数に従って、得られる結合給電信号の振幅重み、位相、及び／又は他の特性を調整することができる移相器、加算器、及び／又は他のハードウェアに、多数の給電信号を通すことができる。適用係数を、衛星１４０上のビーム形成係数メモリに記憶することができる。係数を、（例えば、ゲートウェイから衛星へのフィードバックを用いて）事前計算及び／又は適応更新することができ、その結果、得られる結合給電信号を、静的に又は適応的に生成することができる。係数の効果的な適用は、ビーム形成をフィーダ信号に適用し、フィーダアンテナパターンにおける障害を補償するために使用可能である。例えば、上述の手法の何れかを用いて、クロストークを事前判定（例えば、推定又は事前計算）又は測定することができる。測定クロストークを除去する等化又は除去の使用ではなく、ＭＦＢＰアーキテクチャにおける係数を使用して、制限ビーム形成を適用し、（例えば、事前定義又は適応的な方法で）クロストークを引き起こすアンテナ障害を少なくとも部分的に補正することができる。幾つかの実施形態は、上述の種類の手法の混成を使用することができる。例えば、等化又は除去を使用して、フィーダアップリンク又はダウンリンクのうち一方の測定クロストークを除去することができ、制限ビーム形成を使用して、フィーダアップリンク又はダウンリンクのうち他方のクロストークを除去することができる。
【手続補正２】
【補正対象書類名】特許請求の範囲
【補正対象項目名】全文
【補正方法】変更
【補正の内容】
【特許請求の範囲】
【請求項１】
複数の集束ビームアンテナ素子（ＦＡＥ）を含むフィーダアンテナサブシステムであって、各ＦＡＥが順方向リンクＦＡＥポートを有するフィーダアンテナサブシステムと、
一列のビーム形成アンテナ素子（ＢＡＥ）を含むユーザアンテナサブシステムであって、各ＢＡＥが順方向リンクＢＡＥポートを有するユーザアンテナサブシステムと、
順方向アップリンク周波数範囲及び順方向ダウンリンク周波数範囲を有する順方向リピータサブシステムであって、複数の順方向リンクパスウェイを含み、前記複数の順方向リンクパスウェイの各々は、前記順方向リンクＦＡＥポートのうち１つと前記順方向リンクＢＡＥポートのうち１つとの間に結合されており、前記複数の順方向リンクパスウェイの各々は、前記順方向アップリンク周波数範囲における入力及び前記順方向ダウンリンク周波数範囲における出力を有する順方向リピータサブシステムと、
を含む衛星において、
複数の順方向ダウンリンク信号が、複数の地理的分散ゲートウェイ端末のうち対応する１つから前記ＦＡＥのうち各１つで各々が受信されているビーム重み付け相互位相同期順方向アップリンク信号から生成可能であり、前記複数の地理的分散ゲートウェイ端末は、同じ搬送波周波数で全て動作しており、
前記ＢＡＥによる前記順方向ダウンリンク信号の送信により、前記順方向ダウンリンク信号が空間的に重畳して少なくとも１つの順方向ユーザビームを形成する
ことを特徴とする衛星。
【請求項２】
請求項１に記載の衛星において、
ビーコン送信器を有する衛星同期サブシステムを更に含み、
前記ビーコン送信器によって送信されている同期信号に従って前記ＦＡＥで受信する前に、前記順方向アップリンク信号は同期されている
ことを特徴とする衛星。
【請求項３】
請求項１に記載の衛星において、
各ＦＡＥは、第１の偏光方位における第１の順方向リンクＦＡＥポートと第２の偏光方位における第２の順方向リンクＦＡＥポートとを有し、
前記複数の順方向リンクパスウェイは、
前記第１の順方向リンクＦＡＥポートのうち１つと前記順方向リンクＢＡＥポートのうち１つとの間に各々が結合されている第１の複数の順方向リンクパスウェイと、
前記第２の順方向リンクＦＡＥポートのうち１つと前記順方向リンクＢＡＥポートのうちもう１つとの間に各々が結合されている第２の複数の順方向リンクパスウェイと、
を含む
ことを特徴とする衛星。
【請求項４】
請求項１に記載の衛星において、
各順方向リンク入力は、第１の周波数部分範囲出力及び第２の周波数部分範囲出力を有する周波数分割器に結合されており、
前記複数の順方向リンクパスウェイは、
前記周波数分割器のうち１つの前記第１の周波数部分範囲出力と前記順方向リンクＢＡＥポートのうち１つとの間に各々が結合されている第１の複数の順方向リンクパスウェイと、
前記周波数分割器のうち１つの前記第２の周波数部分範囲出力と前記順方向リンクＢＡＥポートのうちもう１つとの間に各々が結合されている第２の複数の順方向リンクパスウェイと、
を含む
ことを特徴とする衛星。
【請求項５】
請求項１に記載の衛星において、
戻りアップリンク周波数範囲および戻りダウンリンク周波数範囲を有する戻りリピータサブシステムを更に含み、
前記フィーダアンテナサブシステムの各ＦＡＥは、戻りリンクＦＡＥポートを更に有し、
前記ユーザアンテナサブシステムの各ＢＡＥは、戻りリンクＢＡＥポートを更に有し、
前記戻りリピータサブシステムは、複数の戻りリンクパスウェイを含み、前記戻りリンクパスウェイの各々は、前記戻りリンクＢＡＥポートのうち１つと前記戻りリンクＦＡＥポートのうち１つとの間に結合されており、前記戻りリンクパスウェイの各々は、前記戻りアップリンク周波数範囲における入力及び前記戻りダウンリンク周波数範囲における出力を有し、
前記ＦＡＥによる送信のための前記戻りリンクパスウェイによって複数の戻りダウンリンク信号が生成可能であり、前記戻りダウンリンク信号は、少なくとも１つのユーザ端末から前記ＢＡＥで受信されている戻りアップリンク信号から生成可能であり、これによって、前記少なくとも１つのユーザ端末との通信のための少なくとも１つの戻りユーザビームを形成する
ことを特徴とする衛星。
【請求項６】
請求項５に記載の衛星において、
各ＦＡＥは、第１の偏光方位における第１の戻りリンクＦＡＥポートと第２の偏光方位における第２の戻りリンクＦＡＥポートとを有し、
各ＢＡＥは、前記第１の偏光方位における第１の戻りリンクＢＡＥポートと前記第２の偏光方位における第２の戻りリンクＢＡＥポートとを有し、
前記複数の戻りリンクパスウェイは、
前記第１の戻りリンクＢＡＥポートのうち１つと前記第１の戻りリンクＦＡＥポートのうち１つとの間に各々が結合されている第１の複数の戻りリンクパスウェイと、
前記第２の戻りリンクＢＡＥポートのうち１つと前記第２の戻りリンクＦＡＥポートのうち１つとの間に各々が結合されている第２の複数の戻りリンクパスウェイと、
を含む
ことを特徴とする衛星。
【請求項７】
請求項５に記載の衛星において、
各戻りリンクＦＡＥポートは、第１の周波数部分範囲入力及び第２の周波数部分範囲入力を有する周波数結合器に結合されており、
前記複数の戻りリンクパスウェイは、
前記戻りリンクＢＡＥポートのうち１つと前記周波数結合器のうち１つの前記第１の周波数部分範囲入力との間に各々が結合されている第１の複数の戻りリンクパスウェイと、
前記戻りリンクＢＡＥポートのうちもう１つと前記周波数結合器のうち１つの前記第２の周波数部分範囲入力との間に各々が結合されている第２の複数の戻りリンクパスウェイと、
を含む
ことを特徴とする衛星。
【請求項８】
請求項５に記載の衛星において、
前記順方向アップリンク周波数範囲は、前記戻りアップリンク周波数範囲と重複し、前記順方向ダウンリンク周波数範囲は、前記戻りダウンリンク周波数範囲と重複する
ことを特徴とする衛星。
【請求項９】
請求項１に記載の衛星において、
前記フィーダアンテナサブシステムは、フィーダ反射器を更に含み、
前記ユーザアンテナサブシステムは、ユーザ反射器を更に含む
ことを特徴とする衛星。
【請求項１０】
衛星通信システムであって、
同じ搬送波周波数で全て動作する複数の地理的分散ゲートウェイ端末であって、前記地理的分散ゲートウェイ端末の各々が、
分散ネットワークを介して前記順方向ビーム形成器と通信しているビーム重み付け順方向信号入力と、
同期サブシステムに結合されている同期入力と、
前記同期入力に従って前記ビーム重み付け順方向信号入力の相互同期バージョンに対応するフィーダアップリンク信号出力とを含む、
複数の地理的分散ゲートウェイ端末と、
衛星であって、
複数の集束ビームアンテナ素子（ＦＡＥ）を含むフィーダアンテナサブシステムであって、各ＦＡＥが前記ゲートウェイ端末のうちの対応する１つの前記フィーダアップリンク信号出力と通信可能に結合された順方向リンクＦＡＥポートを有するフィーダアンテナサブシステムと、
それぞれが順方向リンクＢＡＥポートを有するビームフォーミングアンテナ要素（ＢＡＥ）のアレイを含むユーザアンテナサブシステムと、
順方向アップリンク周波数範囲及び順方向ダウンリンク周波数範囲を有する順方向リピータサブシステムであって、複数の順方向リンクパスウェイを含み、前記複数の順方向リンクパスウェイの各々は、前記順方向リンクＦＡＥポートのうち１つと前記順方向リンクＢＡＥポートのうち１つとの間に結合されており、前記複数の順方向リンクパスウェイの各々は、前記順方向アップリンク周波数範囲における入力及び前記順方向ダウンリンク周波数範囲における出力を有する順方向リピータサブシステムとを含み、
複数の順方向ダウンリンク信号が、前記ＦＡＥで受信される順方向アップリンク信号から生成可能であり、前記ＢＡＥによる前記順方向ダウンリンク信号の送信により、前記順方向ダウンリンク信号が空間的に重畳して順方向ユーザビームを形成する、
衛星と、
を含む衛星通信システム。
【請求項１１】
請求項１０に記載の衛星通信システムにおいて、
各ＦＡＥは、第１の偏光方位における第１の順方向リンクＦＡＥポートと第２の偏光方位における第２の順方向リンクＦＡＥポートとを有し、
前記複数の順方向リンクパスウェイは、
前記第１の順方向リンクＦＡＥポートのうち１つと前記順方向リンクＢＡＥポートのうち１つとの間に各々が結合されている第１の複数の順方向リンクパスウェイと、
前記第２の順方向リンクＦＡＥポートのうち１つと前記順方向リンクＢＡＥポートのうちもう１つとの間に各々が結合されている第２の複数の順方向リンクパスウェイと、
を含む
ことを特徴とする衛星通信システム。
【請求項１２】
請求項１０に記載の衛星通信システムにおいて、
各順方向リンク入力は、第１の周波数部分範囲出力及び第２の周波数部分範囲出力を有する周波数分割器に結合されており、
前記複数の順方向リンクパスウェイは、
前記周波数分割器のうち１つの前記第１の周波数部分範囲出力と前記順方向リンクＢＡＥポートのうち１つとの間に各々が結合されている第１の複数の順方向リンクパスウェイと、
前記周波数分割器のうち１つの前記第２の周波数部分範囲出力と前記順方向リンクＢＡＥポートのうちもう１つとの間に各々が結合されている第２の複数の順方向リンクパスウェイと、
を含む
ことを特徴とする衛星通信システム。
【請求項１３】
請求項１０に記載の衛星通信システムにおいて、
各地理的分散ゲートウェイ端末は、
前記分散ネットワークを介して戻りビーム形成器と通信している戻り信号出力と、
フィーダダウンリンク信号入力と、
を更に含み、
前記フィーダアンテナサブシステムの各ＦＡＥは、戻りリンクＦＡＥポートを更に有し、
前記ユーザアンテナサブシステムの各ＢＡＥは、戻りリンクＢＡＥポートを更に有し、
前記衛星は、戻りアップリンク周波数範囲及び戻りダウンリンク周波数範囲を有する戻りリピータサブシステムを更に含み、前記戻りリピータサブシステムは、複数の戻りリンクパスウェイを含み、前記戻りリンクパスウェイの各々は、前記戻りリンクＢＡＥポートのうち１つと前記戻りリンクＦＡＥポートのうち１つとの間に結合されており、前記戻りリンクパスウェイの各々は、前記戻りアップリンク周波数範囲における入力及び前記戻りダウンリンク周波数範囲における出力を有し、
複数の戻りダウンリンク信号が、前記ＦＡＥによる送信のための前記戻りリンクパスウェイによって生成可能であり、前記戻りダウンリンク信号は、少なくとも１つのユーザ端末から前記ＢＡＥで受信されている戻りアップリンク信号から生成可能であり、これによって、前記少なくとも１つのユーザ端末との通信のための少なくとも１つの戻りユーザビームを形成する
ことを特徴とする衛星通信システム。
【請求項１４】
請求項１３に記載の衛星通信システムにおいて、
各ＦＡＥは、第１の偏光方位における第１の戻りリンクＦＡＥポートと第２の偏光方位における第２の戻りリンクＦＡＥポートとを有し、
各ＢＡＥは、前記第１の偏光方位における第１の戻りリンクＢＡＥポートと前記第２の偏光方位における第２の戻りリンクＢＡＥポートとを有し、
前記複数の戻りリンクパスウェイは、
前記第１の戻りリンクＢＡＥポートのうち１つと前記第１の戻りリンクＦＡＥポートのうち１つとの間に各々が結合されている第１の複数の戻りリンクパスウェイと、
前記第２の戻りリンクＢＡＥポートのうち１つと前記第２の戻りリンクＦＡＥポートのうち１つとの間に各々が結合されている第２の複数の戻りリンクパスウェイと、
を含む
ことを特徴とする衛星通信システム。
【請求項１５】
請求項１３に記載の衛星通信システムにおいて、
各戻りリンクＦＡＥポートは、第１の周波数部分範囲入力及び第２の周波数部分範囲入力を有する周波数結合器に結合されており、
前記複数の戻りリンクパスウェイは、
前記戻りリンクＢＡＥポートのうち１つと前記周波数結合器のうち１つの前記第１の周波数部分範囲入力との間に各々が結合されている第１の複数の戻りリンクパスウェイと、
前記戻りリンクＢＡＥポートのうちもう１つと前記周波数結合器のうち１つの前記第２の周波数部分範囲入力との間に各々が結合されている第２の複数の戻りリンクパスウェイと、
を含む
ことを特徴とする衛星通信システム。
【請求項１６】
請求項１３に記載の衛星通信システムにおいて、
前記順方向アップリンク周波数範囲は、前記戻りアップリンク周波数範囲と重複し、前記順方向ダウンリンク周波数範囲は、前記戻りダウンリンク周波数範囲と重複する
ことを特徴とする衛星通信システム。
【請求項１７】
請求項１０に記載の衛星通信システムにおいて、
前記フィーダアンテナサブシステムは、フィーダ反射器を更に含み、
前記ユーザアンテナサブシステムは、ユーザ反射器を更に含む
ことを特徴とする衛星通信システム。
【請求項１８】
請求項１７に記載の衛星通信システムにおいて、
前記フィーダ反射器上の表面ひずみは、フィーダアンテナ障害領域を定義し、
前記複数の地理的分散ゲートウェイ端末は、前記フィーダアンテナ障害領域から離れて位置決めされている
ことを特徴とする衛星通信システム。
【請求項１９】
請求項１７に記載の衛星通信システムにおいて、
前記フィーダ反射器上の表面ひずみは、フィーダアンテナ障害領域を定義し、
前記フィーダアンテナサブシステムは、制限ビーム形成をフィーダビームに適用して前記フィーダアンテナ障害領域を補償する、多数のビーム／給電アンテナを含む
ことを特徴とする衛星通信システム。
【請求項２０】
請求項１９に記載の衛星通信システムにおいて、
前記多数のビーム／給電アンテナは、ビーム形成係数メモリに記憶されている事前計算ビーム形成係数を有するビーム形成係数メモリを含み、前記事前計算ビーム形成係数は、前記制限ビーム形成を適用するために使用される
ことを特徴とする衛星通信システム。
【請求項２１】
請求項１９に記載の衛星通信システムにおいて、
前記多数のビーム／給電アンテナは、ビーム形成係数メモリに記憶されている適応更新係数を有するビーム形成係数メモリを含み、前記適応更新係数は、前記制限ビーム形成を適用するために使用される
ことを特徴とする衛星通信システム。
【請求項２２】
請求項１０に記載の衛星通信システムにおいて、
前記複数の地理的分散ゲートウェイ端末は、Ｍ個のゲートウェイ端末を含み、
前記順方向リピータサブシステムは、前記Ｍ個のゲートウェイ端末のうち各１つに各々が対応するＭ個の順方向リンクパスウェイを含む
ことを特徴とする衛星通信システム。
【請求項２３】
請求項１０に記載の衛星通信システムにおいて、
前記フィーダアップリンク信号出力は、前記同期入力に応じて前記ビーム重み付け順方向信号入力の位相同期バージョンに対応する
ことを特徴とする衛星通信システム。
【請求項２４】
請求項１０に記載の衛星通信システムにおいて、
前記衛星は、ビーコン送信器を更に含み、
前記同期サブシステムは、
ループバック入力と、
前記同期入力に結合されており、前記ループバック入力で両方とも受信されているビーコン信号及びループバック信号の位相同期に応じた同期出力と、
を含む
ことを特徴とする衛星通信システム。
【請求項２５】
請求項２４に記載の衛星通信システムにおいて、
各ゲートウェイ端末は、ループバック送信器を更に含む
ことを特徴とする衛星通信システム。
【請求項２６】
請求項１０に記載の衛星通信システムにおいて、
各ゲートウェイ端末は、前記同期サブシステムの局所インスタンスを更に含む
ことを特徴とする衛星通信システム。
【請求項２７】
請求項１０に記載の衛星通信システムにおいて、
前記同期サブシステムを更に含み、前記複数の地理的分散ゲートウェイ端末の各々は、前記分散ネットワークを介して前記同期サブシステムに結合されている
ことを特徴とする衛星通信システム。
【請求項２８】
請求項１０に記載の衛星通信システムにおいて、
前記複数のゲートウェイ端末から給電入力信号を受信する複数の給電入力ポートと、
前記給電入力信号及び記憶クロストーク行列に応じて生成されているクロストーク補償給電信号を送信する複数の給電出力ポートと、
を有するクロストーク除去器を更に含む
ことを特徴とする衛星通信システム。
【請求項２９】
請求項２８に記載の衛星通信システムにおいて、
前記クロストーク除去器は、前記ビーム形成器に配置されている
ことを特徴とする衛星通信システム。
【請求項３０】
請求項１０に記載の衛星通信システムにおいて、
前記衛星は、複数のスイッチを介して前記ＦＡＥに結合されているループバックアンテナ素子を有するループバックパスウェイを更に含み、
複数のタイムスロットにわたって、前記ループバックアンテナ素子は、前記各ＦＡＥの前記各順方向リンクＦＡＥポートに連続的に結合され、これによって、前記タイムスロットの各々で、前記タイムスロットに連続的に結合されている前記ＦＡＥに対応付けられている前記ゲートウェイ端末からのループバックビーコン信号の受信に応じて前記ゲートウェイ端末に繰り返しループバック信号を送信する
ことを特徴とする衛星通信システム。
【請求項３１】
請求項１３に記載の衛星通信システムにおいて、
前記衛星は、複数のスイッチを介して前記ＦＡＥに結合されているループバックアンテナ素子を有するループバックパスウェイを更に含み、
複数のタイムスロットにわたって、前記ループバックアンテナ素子は、前記各ＦＡＥの前記各戻りリンクＦＡＥポートに連続的に結合され、これによって、前記タイムスロットの各々で、前記ゲートウェイ端末からのループバックビーコン信号の受信に応じて前記タイムスロットに連続的に結合されている前記ＦＡＥに対応付けられている前記ゲートウェイ端末に繰り返しループバック信号を送信する
ことを特徴とする衛星通信システム。
【請求項３２】
請求項１０に記載の衛星通信システムにおいて、
前記フィーダアンテナサブシステムは、複数の順方向フィーダビームを照射し、形成された順方向ユーザビームは、前記順方向フィーダビームと空間的に重ならない
ことを特徴とする衛星通信システム。
【請求項３３】
請求項１０に記載の衛星通信システムにおいて、
複数の順方向データストリーム入力と、
前記ゲートウェイ端末及び順方向データストリームの各々に対応付けられているビーム重みを示すビーム重み入力と、
複数のビーム重み付け順方向信号出力であって、前記ビーム重み付け順方向信号出力の各々は、前記分散ネットワークを介して前記ゲートウェイ端末のうち各１つの前記ビーム重み付け順方向信号入力に結合されており、前記ビーム重み付け順方向信号出力の各々は、前記ゲートウェイ端末のうち前記各１つに対応付けられている前記ビーム重みに従ってビーム重み付けされた前記順方向データストリーム入力の重み付け和である、複数のビーム重み付け順方向信号出力と、
を含む前記順方向ビーム形成器を更に含む
ことを特徴とする衛星通信システム。
【請求項３４】
請求項３３に記載の衛星通信システムにおいて、
前記順方向データストリーム入力は、Ｋ個の形成順方向ユーザビームのうち各１つに各々が対応するＫ個の順方向データストリーム入力を含み、
前記複数の地理的分散ゲートウェイ端末は、Ｌ個のフィーダアップリンク信号出力を含み、
前記ビーム重み入力は、Ｌ×Ｋ個のビーム重みを含み、
前記ビーム重み付け順方向信号出力は、前記Ｌ×Ｋ個のビーム重みに従ってビーム重み付けされた前記Ｋ個の順方向データストリーム入力のＬ個の合成物に対応する
ことを特徴とする衛星通信システム。
【請求項３５】
前記衛星は、静止衛星であることを特徴とする
請求項１０に記載の衛星通信システム。
【請求項３６】
衛星通信システムにおける地上ベースのビーム形成の方法において、
複数の空間分離ゲートウェイ位置のうち対応する１つから複数の集束フィーダアップリンクアンテナ素子のうちの１つを介して各々が受信されているビーム重み付け相互同期順方向アップリンク信号を受信するステップであって、前記複数の集束フィーダアップリンクアンテナ素子は、衛星のフィーダアンテナサブシステムの集束ビームアンテナ素子（ＦＡＥ）である、ステップと、
前記複数の順方向アップリンク信号のうち対応する１つを増幅して周波数変換することによって複数の順方向ダウンリンク信号の各々を、前記衛星によって生成するステップと、
複数の集束ずれユーザダウンリンクアンテナ素子を介して前記複数の順方向ダウンリンク信号を、前記衛星によって送信するステップであって、前記順方向ダウンリンク信号が、空間的に重畳してユーザビームを形成し、前記複数の集束ずれユーザダウンリンクアンテナ素子は、順方向リンクパスウェイを介して前記ＦＡＥに結合された前記衛星のユーザアンテナシステムのビーム形成アンテナ素子（ＢＡＥ）である、ステップと、
を含むことを特徴とする方法。
【請求項３７】
請求項３６に記載の方法において、
ビーム重み付けを複数の順方向データストリームに適用して、Ｌ個のビーム重み付け順方向信号を生成するステップと、
Ｍ個の空間分離ゲートウェイ位置のうち対応する１つに前記Ｌ個のビーム重み付け順方向信号の各々を伝達するステップと、
前記ゲートウェイ位置で前記ビーム重み付け順方向信号を同期させて、前記Ｌ個のビーム重み付け相互同期順方向アップリンク信号を生成するステップと、
を更に含むことを特徴とする方法。
【請求項３８】
請求項３７に記載の方法において、
前記順方向ダウンリンク信号は、空間的に重畳してＫ個のユーザビームを形成し、
前記ビーム重み付けは、Ｌ×Ｋ個のビーム重みをＫ個の順方向データストリームに適用して前記Ｌ個のビーム重み付け順方向信号を生成するステップを含む
ことを特徴とする方法。
【請求項３９】
請求項３６に記載の方法において、
前記受信ステップは、アップリンク周波数範囲にあり、
前記送信ステップは、ダウンリンク周波数範囲にあり、
前記周波数変換ステップは、前記アップリンク周波数範囲から前記ダウンリンク周波数範囲に変換するステップを含む
ことを特徴とする方法。
【請求項４０】
請求項３６に記載の方法において、
複数の集束ずれユーザアップリンクアンテナ素子を介して複数の戻りアップリンク信号を受信するステップと、
前記複数の戻りアップリンク信号のうち対応する１つから複数の戻りダウンリンク信号の各々を生成するステップと、
複数の集束フィーダダウンリンクアンテナ素子を介して前記空間分離ゲートウェイ位置に前記複数の戻りダウンリンク信号を送信するステップと、
を更に含み、
前記集束ずれユーザアップリンクは、前記戻りダウンリンク信号を送信した後に地上相互位相同期及び前記戻りダウンリンク信号のビーム重み付けによって形成されるビームサービスエリアで生じる
ことを特徴とする方法。
【請求項４１】
請求項４０に記載の方法において、
前記空間分離ゲートウェイ位置で前記複数の戻りダウンリンク信号を受信するステップと、
前記ゲートウェイ位置で前記戻りダウンリンク信号を同期させて、複数の相互同期戻り信号を生成するステップと、
前記複数の相互同期戻り信号をビーム重み付けして、ビーム重み付け相互同期戻り信号を生成するステップと、
を更に含むことを特徴とする方法。
【請求項４２】
請求項４１に記載の方法において、
前記ビーム重み付け相互同期戻り信号は、Ｌ個のビーム重み付け相互同期戻り信号を含み、
前記形成ビームサービスエリアは、Ｋ個のユーザビームを含み、
前記複数の相互同期戻り信号をビーム重み付けするステップは、前記Ｌ個のビーム重み付け相互同期戻り信号にＬ×Ｋ個の戻りビーム重みを適用してＫ個の戻りデータストリームを回復するステップを含む
ことを特徴とする方法。
【請求項４３】
請求項４０に記載の方法において、
前記複数の戻りアップリンク信号を、戻りアップリンク周波数範囲で受信し、
前記複数の戻りダウンリンク信号を、戻りダウンリンク周波数範囲で送信し、
前記生成ステップは、前記戻りアップリンク周波数範囲から前記戻りダウンリンク周波数範囲に変換するステップを含む
ことを特徴とする方法。
【請求項４４】
請求項３７に記載の方法において、
前記受信ステップは、無線中継器によって実行し、
前記同期ステップは、
前記中継器から送信されるビーコン信号を前記ゲートウェイ位置で受信するステップと、
前記ゲートウェイ位置から送信される各ループバック信号を各ゲートウェイ位置で受信するステップと、
前記各受信ループバック信号を前記受信ビーコン信号に各ゲートウェイ位置で位相同期させるステップと、
を含む
ことを特徴とする方法。
【請求項４５】
請求項３６に記載の方法において、
前記ゲートウェイ位置から給電入力信号を受信するステップと、
前記給電入力信号及び記憶クロストーク行列に応じてクロストーク補正給電信号を生成するステップと、
を更に含むことを特徴とする方法。
【請求項４６】
請求項４５に記載の方法において、
複数のタイムスロットにわたって、前記集束フィーダアップリンクアンテナ素子の各々にループバックアンテナ素子を連続的に結合し、これによって、前記タイムスロットの各々で、前記タイムスロットに連続的に結合される前記集束フィーダアップリンクアンテナ素子に対応付けられる前記ゲートウェイ位置からのループバックビーコン信号の受信に応じて前記ゲートウェイ位置に繰り返しループバック信号を送信するステップ
を更に含み、
前記複数のタイムスロットにわたって、前記給電入力信号は、前記ゲートウェイ位置における受信として前記繰り返しループバック信号に対応する
ことを特徴とする方法。
【請求項４７】
請求項４５に記載の方法において、
複数のタイムスロットにわたって、複数の集束フィーダダウンリンクアンテナ素子の各々にループバックアンテナ素子を連続的に結合し、これによって、前記タイムスロットの各々で、前記ゲートウェイ位置からのループバックビーコン信号の受信に応じて前記タイムスロットに連続的に結合される前記集束フィーダダウンリンクアンテナ素子に対応付けられる前記ゲートウェイ位置に繰り返しループバック信号を送信するステップ
を更に含み、
前記タイムスロットの各々で、前記給電入力信号のうち少なくとも１つは、前記タイムスロットにおける前記ゲートウェイ位置のうち少なくとも１つによる受信として前記繰り返しループバック信号に対応する
ことを特徴とする方法。
【請求項４８】
請求項３６に記載の方法において、
前記ゲートウェイ位置のうち少なくとも１つによって少なくとも１つのユーザ端末から少なくとも１つのプローブ信号を受信するステップと、
前記少なくとも１つのプローブ信号と予想給電信号との比較に応じて少なくとも１つのクロストーク補正給電信号を生成するステップと、
を更に含むことを特徴とする方法。
【請求項４９】
請求項３６に記載の方法において、
少なくとも１つのユーザ端末によって前記ゲートウェイ位置のうち少なくとも１つから少なくとも１つのプローブ信号を受信するステップと、
前記少なくとも１つのプローブ信号と予想ユーザ信号との比較に応じて少なくとも１つのクロストーク補正給電信号を生成するステップと、
を更に含むことを特徴とする方法。